(57)【特許請求の範囲】
【請求項１】
前面側熱交換器と背面側熱交換器とを備えた室内熱交換器がキャビネットに内装され、前記キャビネットに前面吸込口および天面吸込口が設けられ、両吸込口から吸い込まれた室内空気が前記室内熱交換器を通過するように構成された空気調和機において、
前記キャビネットの前面開口を覆うようにその前側に前カバーが開閉可能に設けられ、前カバーの下端により前面吸込口の上側口壁が形成され、前記前面吸込口の下側口壁が前記キャビネットの前面開口の下側口壁とされ、前面吸込口の上側口壁とそれよりも後退した前記下側口壁との間に前後方向の段差のある開口が形成され、
前記前面吸込口が前面側熱交換器の下部に対向して正面視で開口が見えるように形成され、前記開口から室内空気を前面側熱交換器に導くようにされ、
前記キャビネットに、その両吸込口に面してキャビネット内に吸込んだ室内空気を除塵するフィルタが着脱可能に収容され、
前記フィルタの収容状態で前記下側口壁よりも上側に位置する部分にフィルタを着脱操作させるための取手が前記フィルタに設けられ、
前記前カバーの裏面にフィルタ押えリブが設けられ、前記前カバーの閉姿勢で、前記フィルタ押えリブが前記フィルタの取手に当接するように配置されたことを特徴とする空気調和機。
【請求項２】
前記フィルタの収容状態で、フィルタの下端枠部材が前面吸込口の下側口壁の裏面側に隠れるように配置されたことを特徴とする請求項１に記載の空気調和機。
【請求項３】
フィルタの下端枠部材を前面吸込口の下側口壁部の裏面側に係止する係止手段が設けられ、該係止手段は、フィルタの下端枠部材の左右両端において前後方向に突出する係止リブと、該係止リブを係脱可能に係止するよう下側口壁に形成された係止受けとを備えたことを特徴とする請求項２に記載の空気調和機。
【請求項４】
前記キャビネットの前面と前記前面側熱交換器とは、その間の距離が前面側熱交換器の下部に向かうほど広く設定されたことを特徴とする請求項１〜３のいずれかに記載の空気調和機。
【発明の詳細な説明】
【技術分野】
【０００１】
本発明は、キャビネットを構成する前面パネルに前面吸込口および天面吸込口が設けられた空気調和機に関するものである。
【背景技術】
【０００２】
従来、この種の空気調和機として、特許文献１に示すように、キャビネット内に前面側熱交換器と背面側熱交換器とを逆Ｖ字状に配置して構成され室内熱交換器が設けられ、キャビネットの天面パネルに天面吸込口が形成され、前面パネルに前面吸込口が形成され、前面吸込口は、前面パネルの中央やや下部において、開口を下方に向けて形成し、前面吸込口の下側にあたる前面パネルに、上方ほどキャビネットの内方に向かってなめらかに傾斜し、前面吸込口に至る気流ガイドが形成されたことが開示されている。
【０００３】
上記特許文献１によると、気流ガイドにより、前面吸込口から前記側熱交換器に向かって形成される気流を抑制し、室内熱交換器の全体に亘って均一な気流を形成することができることが記載されている。
【先行技術文献】
【特許文献】
【０００４】
【特許文献１】特許第3521813号公報
【発明の概要】
【発明が解決しようとする課題】
【０００５】
しかし、特許文献１に示す空気調和機において、前面吸込口は正面視で開口が見えないように、開口の下端を内方に潜り込ませるように配置して風の流れをガイドする気流ガイドが設けられているため、風が気流ガイドにより前面側熱交換器の下部に流れにくくなり、熱交換効率が下がる可能性がある。
【０００６】
本発明は、上記に鑑み、熱交換効率が良好な空気調和機の提供を目的としている。
【課題を解決するための手段】
【０００７】
上記目的を達成するために、本発明に係る空気調和機は、前面側熱交換器と背面側熱交換器とを備えた室内熱交換器がキャビネットに内装され、前記キャビネットに前面吸込口および天面吸込口が設けられ、両吸込口から吸い込まれた室内空気が前記室内熱交換器を通過するように構成された空気調和機において、前記キャビネットの前面開口を覆うようにその前側に前カバーが開閉可能に設けられ、前カバーの下端により前面吸込口の上側口壁が形成され、前記前面吸込口の下側口壁が前記キャビネットの前面開口の下側口壁とされ、前面吸込口の上側口壁とそれよりも後退した前記下側口壁との間に前後方向の段差のある開口が形成され、前記前面吸込口が前面側熱交換器の下部に対向して正面視で開口が見えるように形成され、前記開口から室内空気を前面側熱交換器に導くようにされ、前記キャビネットに、その両吸込口に面してキャビネット内に吸込んだ室内空気を除塵するフィルタが着脱可能に収容され、前記フィルタの収容状態で前記下側口壁よりも上側に位置する部分にフィルタを着脱操作させるための取手が前記フィルタに設けられ、前記前カバーの裏面にフィルタ押えリブが設けられ、前記前カバーの閉姿勢で、前記フィルタ押えリブが前記フィルタの取手に当接するように配置されたことを特徴とする。
【０００８】
上記構成によると、前面吸込口では、上側口壁とそれよりも後退した下側口壁との間に形成された前後方向の段差のある開口から室内空気を前面側熱交換器に導くようにし、また、前面吸込口の上側口壁と下側口壁とを正面視でオーバーラップさせることなく開口が見えるように形成しているので、前面熱交換器の下部にも前面吸込口から直接風が流れ、熱交換効率を上げることができる。
【０００９】
この場合、前面吸込口の下側口壁は垂直面とすることができる。下側口壁を垂直面とすることで、前面吸込口の開口を広くとることができ、かつ特許文献１のように内方に向かう気流ガイドを廃止した分、キャビネット全体の前後方向の幅を小さくすることができる。
【００１０】
前面吸込口の形成する態様として、フィルタ等を着脱可能に装着するための前カバーを利用することができる。すなわち、前記キャビネットの前面開口を覆うように前カバーが開閉可能に設けられ、前カバーの下端により前面吸込口の上側口壁が形成される態様を採用することができる。ここで、キャビネットは、箱型に形成し、その前面に前面開口を設け、その前面開口に前カバーを開閉可能に設ける構成を採用することができる。また、キャビネットは、前面が開放した箱型の背面板と、背面が開口した箱状の前面パネルとが互いに組み合わされて構成することができる。この場合、前カバーは、前面パネルの前面に形成した前面開口に開閉可能に設けられる。
【００１１】
上記構成によると、フィルタ等を着脱可能に装着するために開閉可能な前カバーを利用し、その下端を前面吸込口の上側口壁とし、それよりも前後方向で後側の前面パネルを下側口壁とすることができる。
【００１２】
また、前記キャビネットに、その両吸込口に面してキャビネット内に吸込んだ室内空気を除塵するフィルタが着脱可能に収容され、前記フィルタの収容状態で、その下端枠部材が前面吸込口の下側口壁の裏面側に隠れるように配置された構造を採用することができる。
【００１３】
上記構成によると、下端枠部材が前面吸込口の下側口壁の裏面側に隠れるように配置されているので、下端枠部材が前面吸込口を直進してくる風を遮ることがなく前面側熱交換器に当てることができ、熱交換効率を良くすることができる。
【００１４】
また、フィルタの下端枠部材を前面吸込口の下側口壁部の裏面側に係止する係止手段が設けられ、該係止手段は、フィルタの下端枠部材の左右両端において前後方向に突出する係止リブと、該係止リブを係脱可能に係止するよう下側口壁に形成された係止受けとを備えた構成を採用することができる。
【００１５】
上記構成によると、係止リブが下側口壁に形成された係止受けに係止されるので、熱交換器の下部に吸い込まれる風の流れにより可撓性のフィルタが浮き上がり下側口壁から外れるのを防止することができる。
【００１６】
また、フィルタの収容状態で前記下側口壁よりも上側に位置する部分にフィルタを着脱操作させるための取手を前記フィルタに設けることができる。
【００１７】
この構成によると、フィルタの下端枠部材が前面吸込口の下側口壁よりも上側に位置するため、フィルタの取外し時に取手を持ち易く、容易にフィルタを着脱操作することができる。この際、取手は前面吸込口から直進する風を遮らない位置、具体的には上下方向で前面吸込口よりも上側に配置して、風を効率よく前面側熱交換器に導くようにするのが好ましい。
【００１８】
また、前カバーの裏面にフィルタ押えリブを設け、前カバーの閉姿勢で、フィルタ押えリブがフィルタの取手に当接するように配置することができる。
【００１９】
この構成によると、前カバーを閉姿勢にすることで、前カバー裏面の押えリブがフィルタの取手に当接し、可撓性のあるフィルタの浮き上がりを防止することができる。
【００２０】
さらに、キャビネットの前面と前面側熱交換器とは、その間の距離が前面側熱交換器の下部に向かうほど広く設定することができる。
【００２１】
この構成によると、前面吸込口から吸込んだ空気が下側口壁を回り込んで前面側熱交換器の下部にもより行き渡りやすくなり、室内熱交換器の熱交換効率を向上させることができる。
【発明の効果】
【００２２】
以上のとおり、本発明によると、前面吸込口では、上側口壁とそれよりも後退した下側口壁との間に形成された前後方向の段差のある開口から室内空気を前面側熱交換器に導くようにし、また、前面吸込口の上側口壁と下側口壁とを正面視でオーバーラップさせることなく隙間を形成し、開口が見えるようにしているので、前面熱交換器の下部にも前面吸込口から直接風が流れ、室内熱交換器の効率を向上させることができる。
【図面の簡単な説明】
【００２３】
【図１】本実施形態における空気調和機の室内機の外観斜視図である。
【図２】図１の室内機において前カバーを開放させてフィルタを取りはずした状態を示す外観斜視図である。
【図３】図１の室内機の側面断面図である。
【図４】図３の前面吸込口部を示す拡大側面断面図である。
【図５】フィルタ単体の拡大斜視図である。
【図６】フィルタの前面パネルへの収容状態を示すフィルタ係合部の拡大斜視図である。
【図７】別の実施形態を示す室内機の前面吸込口における拡大側面断面図である。
【発明を実施するための最良の形態】
【００２４】
本発明に係る実施形態を図面に基づいて説明する。本実施形態ではセパレート型空気調和機の室内機を例に説明する。この種の空気調和機は、室内機の内部に収容される室内熱交換器と、図示しない室外機に収容される圧縮機、四方弁、室外熱交換器、絞り装置（共に図示せず）とが冷媒管によって接続されて冷凍サイクルが構成され、冷房、暖房、除湿などの各種運転モードを実行できるようになっている。
【００２５】
室内機は、図１〜図３に示すように、キャビネット１の上面に室内空気を吸込む天面吸込口２が形成され、また、キャビネット１の前面中央部分に室内空気を吸込む前面吸込口３が形成され、さらに、キャビネット１の前面下方の開口に吹出口４が形成されている。なお、キャビネット１を正面から見て幅方向を左右方向とし、キャビネット１の奥行き方向を前後方向とし、キャビネットの高さ方向を上下方向とする。
【００２６】
キャビネット１は、図１〜図３に示すように、前面が開放した箱型の背面板８と、背面が開口した箱状の前面パネル９とが互いに組み合わされて外装を構成している。
【００２７】
キャビネット１の内部には、図３に示すように、天面吸込口２および前面吸込口３から吹出口４に至る空気通路５が形成され、この空気通路５に室内熱交換器６とファン７とが配置されている。
【００２８】
室内熱交換器６は、前面側熱交換器６ａ，６ｂと背面側熱交換器６ｃの３個の熱交換器が逆Ｖ字状に配置されている。前面側熱交換器６ａ，６ｂは、上側の熱交換器６ａと下側の熱交換器６ｂとを備え、上側の熱交換器６ａの上端が後方に傾斜するように配置され、その下端に連続して下側の熱交換器６ｂがほぼ垂直に配置されている。上側の熱交換器６ｂは背面側熱交換器６ｃと同じ高さに配置され、両熱交換器が側面視で逆Ｖ字形に配置されている。
【００２９】
なお、熱交換器の個数は図３に示す３個の熱交換器に限定されるものではなく、前面側と背面側にそれぞれ１個を配列した態様や、背面側にさらに補助熱交換器を追加して合計４個の熱交換器を配列した態様が例示できる。
【００３０】
ファン７は、クロスフローファンであり、空気通路５の下流側で室内熱交換器６に囲まれた空間内に配置される。
【００３１】
空気通路５のうちファン７よりも下流側には、前後両側に送風案内壁が形成され、ファン７からの送風を吹出口４からキャビネット１の前面下部の開口に導くようにしている。
【００３２】
キャビネット１を構成する背面板８は、前面が開放した箱状のもので、その背面側に室内の壁面に取り付けるための平坦面が形成されている。背面板８の前側にはファン７からの送風を前方に案内するよう凹状曲面に形成された後側の送風案内壁１０を有している。また、背面板８の天面は、天面吸込口２の一部を形成する格子状の吸込グリル１１を有している。
【００３３】
前面パネル９は、背面が開放した箱状のものであって、その天面のほぼ全域が開口され、その開口部に格子状の吸込グリル１３が形成されている。格子状の吸込グリル１３は背面板８側の吸込グリル１１と並設され、両吸込グリル１１、１３により天面吸込口２が構成されている。
【００３４】
前面パネル９の前面には、前面側熱交換器６ａ，６ｂに対向して前面開口９ａが形成されている。この前面開口９ａを覆うように前カバー１４が、その上端の軸周りに開閉回動可能に前面パネル９に支持される。
【００３５】
前カバー１４は、平板状のものであって、左右方向の幅がキャビネット１の横幅とほぼ等しく、また、高さはキャビネット１の前面垂直部Ｂ（図１参照）の高さとほぼ等しく設定されている。前カバー１４の左右下端の裏面には前面パネル９に係合するための係合突起（図示略）が形成され、該係合突起に対応する前面パネル位置には、図２及び図６に示すように、前カバーを係止するための係合受け部４５が形成されている。
【００３６】
前面パネル９は、その前側下部において、前カバー１４よりも下側が側面視で円弧状に後退して底壁部１６に至る。この円弧面に形成された開口には、吹出口４を構成するルーバユニット１７が嵌め込まれている。
【００３７】
ルーバユニット１７は、風向変更装置の一部を構成するもので、図３に示すように、中央部に吹出口４を形成する周縁部材１８と、吹出口４の前方に横軸周りに開閉回動可能に設けられた導風パネル１９と、導風パネル１９の後側で吹出口４に揺動可能に配置された複数の縦ルーバ２０とを備えている。さらに、本例では導風パネル１９の内側にある導風面に横ルーバ２１が配設されている。
【００３８】
周縁部材１８のうち上側の周縁部材は断面上開放コ字形に形成されて熱交換器から滴下する水を受けるためのドレンパン２２が構成されている。ドレンパン２２の内部には断熱材２３が貼着され、この断熱材の上側に、前面側熱交換器６ａ，６ｂのうち下側熱交換器６ｂの下端部が配置されている。
【００３９】
ドレンパン２２は、その後壁面及び底壁面により空気通路５の前側の送風案内壁が構成される。このドレンパン２２の後壁面と背面板８側の後案内壁１０との間に隙間を空けて、ファン７が配置されている。
【００４０】
また、前面パネル９の天面吸込口２の裏面及び前面パネルの前側開口の裏面側と室内熱交換器６との間にフィルタ１５が着脱可能に配設される。フィルタ１５は、前カバー１４を開放することにより、前面パネル９の前面から取り外すことができる。
【００４１】
本例では、フィルタ１５が左右一対設けられている。各フィルタ１５は、図２及び図５に示すように、周囲の枠部材２４と、その内部に格子状に配列された縦横の桟部材２５と、これら枠部材と桟部材に亘って張設された網部材２６とから全体として長方形状に形成され、前面パネル９の天面吸込口２と前面の開口との境界部でＲ状に折り曲げられ、側面視でＬ字状に形成されている。このフィルタ１５は合成樹脂製のものであって可撓性を有するものである。
【００４２】
フィルタ１５は、前面パネル９の前面開口９ａより後方に形成されたフィルタガイド２７に沿って装着され、その収容状態では、フィルタ１５の下端枠部材２４ａが前面パネル９の前面開口９ａの下側口壁３５の裏面に隠れるように配置される。
【００４３】
フィルタガイド２７は、前面開口９ａの左右両端部および左右方向の中央部に形成される。中央のフィルタガイド２７は、その両面で左右のフィルタ１５，１５を案内するようにしている。左右のフィルタガイド２７間には、天面吸込口２と前面開口９ａとの境界部分でフィルタ１５の背面側を支持する受け部材３７が差渡し形成される（図３参照）。
【００４４】
また、フィルタ１５が前面吸込口３から吸い込む風により浮き上がるのを防止するため、前面開口９ａの下側口壁３５にフィルタ１５の下端枠部材２４ａを係止する係止手段２８が設けられている。
【００４５】
係止手段２８は、フィルタ１５の下端枠部材２４ａの左右両端において前後方向（本例においては前方向）に突出する係止リブ２９と、該係止リブ２９を係脱可能に係止するよう下側口壁３５の係止リブ対応位置に形成された係止受け３０とを備え、係止リブ２９を係止受け３０に係止することによりフィルタ１５の抜け出しを防止するようになっている。
【００４６】
係止リブ２９は、図６に示すように、フィルタ１５の下端枠部材２４の左右両端部に正面視で逆Ｌ字形に突出形成され、その水平部分である水平リブ２９ａが係止受け３０に載置され、フィルタ１５が、下方に落下するのを防止している。また、係止リブ２９の垂直部分である垂直リブ２９ｂが係止受け３０よりも下方に侵入可能とされ、左右の垂直リブ２９ｂの間隔が左右の係止受け３０の内端間とほぼ等しい間隔に設定されている。
【００４７】
係止リブ２９の水平リブ２９ａは、図５に示すように、下端枠部材２４ａよりも上方位置に配置され、垂直リブ２９ｂは、下端枠部材２４ａの左右両端縁よりも左右方向で内側に形成されている。そして、下端枠部材２４ａの前面には左右方向に連続して垂直リブ２９ｂに繋がる上下２条の補強リブ３１が形成されている。
【００４８】
一方、係止受け３０は、図６に示すように、前面開口９ａの下端口壁３５の左右両端において、下端口壁３５と同じレベルで後方に突出形成され、フィルタ１５の係止リブ２９が載置されるようになっている。
【００４９】
さらに、係止リブ２９とその後方の下端枠部材２４ａの前後方向は、下側口壁３５と後方のフィルタガイド２７とで挟むことにより前後方向の位置決めが行えるようになっている。
【００５０】
また、フィルタ１５の左右方向中央位置には、最下段の横桟位置にフィルタ１５を着脱操作するための取手３４が前方へ突出形成されている。この取手３４は、平板状のものであって、フィルタ１５の収容状態で下側口壁３５よりも上側に位置する。最下段の横桟位置は、図３に示すように、前面吸込口３よりも上方に位置する。なお、取手３４を補強するため、取手３４に連続して下端枠部材２４ａの補強リブ３１に繋がるリブ３９が形成されている。
【００５１】
また、前カバー１４の裏面にフィルタの浮き上がりを防止するためのフィルタ押えリブ３８が突出形成される。この押えリブ３８は前カバー１４の閉姿勢でフィルタ１５の取手３４に当接するように配置されている。
【００５２】
前面パネル９の前面開口９ａの下側口壁３５は、図２及び図６に示すように、垂直壁とされ、垂直壁の下端には、後方に突出してフィルタ１４の下端枠部材２４ａを載置可能な受け部３９が設けられている。
【００５３】
また、前面開口９ａの下側口壁３５の下端には、キャビネット１の内方側に突出するように凹状の曲面部４０が形成される。この凹状曲面部４０の下端はドレンパン２２の底壁から前方に延長された延長壁の先端に対して後退するように配置されることで段差４１が形成される。この段差４１および凹状曲面部４０によって、吹出口４から吹出した風が上方の前面吸込口３からキャビネット１内に戻るのを防止するようにしている。
【００５４】
前面吸込口３は、前面側熱交換器６ａ，６ｂに対向して正面視で開口が見えるように形成されると共に、前面吸込口３の上側口壁とそれよりも後退した下側口壁との間に形成された前後方向の段差のある開口から室内空気を前面側熱交換器６ａ，６ｂに導くようになっている。
【００５５】
本例では、前面吸込口３は、前面パネル９の前面開口９ａを覆うように設けられた前カバー１４の下端が前面吸込口３の上側口壁３ａとされ、下側口壁が前面パネル９の前面開口９ａの下側口壁３５とされる。
【００５６】
前カバー１４は前面開口９ａよりも前側に配置され、前カバー１４の下端は、前面開口９ａの下側口壁３５よりも前方に配置され、これにより、前後方向の段差のある開口が形成される。前方より吸込んだ空気は、前カバー１４の下端３ａを回りこんで、この前後方向に段差のある開口から前面側熱交換器６ａ，６ｂに当たる。
【００５７】
さらに、前カバー１４の下端３ａと前面開口９ａの下側口壁３５の上端との間には上下方向で隙間Ａが形成され、この隙間Ａを通して正面視で前方より内部の前面側熱交換器６ｂの一部が見えるようにされる。そして、隙間Ａを通して前方より吸込んだ空気を水平方向で直進させ、前面側熱交換器６ｂに当てるようにしている。
【００５８】
さらに、隙間Ａの正面に前面側熱交換器を構成する冷媒配管を設けるようにする。この際、冷媒配管の直径の半分以上が隙間Ａの正面に位置することが好ましい。そして、隙間Ａを通して水平方向で直進する前方より吸込んだ空気は、直接冷媒配管に当たる。吸込んだ空気が直接冷媒配管に当たるため、冷媒との熱交換が行われやすくなり、熱交換効率を上げることができる。
【００５９】
また、前面開口９ａの下側口壁３５に連続して、その下側には凹状曲面部４０が形成されているが、この凹状曲面部４０の下方に前記ルーバユニット１７が嵌め込まれている。また、凹状曲面４０の内方側にはドレンパン２２が配置されている。
【００６０】
上記構成において、ファン７の駆動により、室内空気はキャビネット１の天面吸込口２および前カバー１４の下端に形成された前面吸込口３よりフィルタ１５を介して室内熱交換器６に導かれ、熱交換器を流れる冷媒との間で熱交換され、キャビネット１内の空気通路５を通して、熱交換された風が吹出口４から室内に放出される。
【００６１】
このとき、前面吸込口３では、上側口壁３ａとそれよりも後退した前面開口９ａの下側口壁３５との間に形成された前後方向の段差のある開口から室内空気を前面側熱交換器６ａ，６ｂに導くようにし、また、前面吸込口３の上側口壁３ａと前面開口９ａの下側口壁３５とを正面視でオーバーラップさせることなく、隙間Ａを形成しているので、前面側熱交換器６ａ，６ｂの下部にも前面吸込口３から直接風が流れるため、熱交換効率を上げることができる。
【００６２】
このとき、前面吸込口３の下側口壁３５を垂直面とすることで、前カバー１４との段差によって生じる開口を広くとることができる。
【００６３】
さらに、前面吸込口３に対向するフィルタ１５は、その収容状態で、下端枠部材２４ａが前面開口９ａの下側口壁３５の裏面側に隠れているため、下端枠部材２４ａが前面吸込口３から直進してくる風を遮ることがなく、前面側熱交換器６ａ，６ｂに直接当てることができる。そのため、熱交換効率を良くすることができる。
【００６４】
また、前面開口９ａの下側口壁３５にフィルタ１５の下端枠部材２４ａを係止してフィルタ１５が前面吸込口３から吸い込む風により浮き上がるのを防止するため、係止リブ２９と係止受け３０とからなる係止手段２８を設け、係止リブ２９を係止受け３０に係止することによりフィルタ１５の抜け出しを防止している。
【００６５】
すなわち、図６に示すように、フィルタ１５を前面開口９ａの下側口壁３５の裏面に係止する際、係止リブ２９の水平リブ２９ａが係止受け３０に載置され、フィルタ１５の下方への落下を防止している。また、係止リブ２９の垂直リブ２９ｂが係止受け３０よりも下方に侵入し、左右の係止受け３０間でフィルタ１５の左右方向の移動を阻止している。さらに、係止リブ２９とその後方の下端枠部材２４ａの前後方向幅を下側口壁３５と後方のフィルタガイド２７とで挟むので、フィルタ１５の前後方向の位置決めも行える。
【００６６】
さらに、フィルタ１５を着脱操作する取手３４は下端枠部材よりも上方位置で前面吸込口３から水平方向で直進してくる風の妨げにならない位置に配置しているので、フィルタ１５の取外し時に取手３４を持ち易く、容易にフィルタ１５を着脱することができる。
【００６７】
また、フィルタ１５を装着後、前カバー１４を閉めると、前カバー１４の裏面にある押えリブ３８が取手３４に当たり、可撓性のフィルタ１５が浮き上げるのを阻止することができる。
【００６８】
なお、本発明は上記実施形態に限定されるものではなく、本発明の範囲内で多くの修正・変更を加えることができるのは勿論である。例えば、図７に示すように、前面側熱交換器６ｂの上部よりも下部の方が後方に配置するよう傾斜（傾斜角度θ）させれば、前面側熱交換器６ａ，６ｂと前面パネル９との間隔は下部の方が広くなる。
【００６９】
この構成によると、前面吸込口３から吸込んだ空気が下側口壁３５を回り込んで前面側熱交換器の下部にもより行き渡りやすくなり、室内熱交換器の熱交換効率を向上させることができる。
【００７０】
また、上記実施形態では、図３に示すように、前カバー１４の下端と前面パネル９の前面開口９ａの下側口壁３５の上端との間に前面吸込口を形成する態様を例示したが、これに限らず、前カバー１４がない構造の前面パネルにおいては、前面パネルに前面側熱交換器６ａ，６ｂに対向してスリット状の前面吸込口を形成する態様であってもよい。
【００７１】
また、図５においては、フィルタ１５の取手３４を横桟２５の中央に配置した構成を例示したが、これに限らず、取手３４を横桟の左右方向全長に亘って形成し、この取手３４よりも下側に前面吸込口３を位置させれば、前面吸込口３から吸込んだ風が上方の取手３４に遮られ、風のほとんどが下方側に流れて前面側熱交換器の下部を効率よく送風することができる。
【符号の説明】
【００７２】
１    キャビネット
２    天面吸込口
３    前面吸込口
４    吹出口
５    空気通路
６    室内熱交換器
６ａ、６ｂ  前面側熱交換器
６ｃ  背面側熱交換器
７    ファン
８    背面板
９    前面パネル
９ａ    前面開口
１０    後側の送風案内壁
１１    吸込みグリル
１３    吸込みグリル
１４    前カバー
１５    フィルタ
１６    底壁部
１７    ルーバユニット
１８    周縁部材
１９    導風パネル
２０    縦ルーバ
２１    横ルーバ
２２    ドレンパン
２３    断熱材
２４    枠部材
２４ａ  下端枠部材
２５    桟部材
２６    網部材
２７    フィルタガイド
２８    係止手段
２９    係止リブ
２９ａ    水平リブ
２９ｂ    垂直リブ
３０    係止受け
３１    補強リブ
３４    取手
３５    下側口壁
３７    受け部材
３８    押えリブ
３９    リブ
４０    凹状曲面部
【図１】
0005956163.tif 000002
【図２】
0005956163.tif 000003
【図３】
0005956163.tif 000004
【図４】
0005956163.tif 000005
【図５】
0005956163.tif 000006
【図６】
0005956163.tif 000007
【図７】
0005956163.tif 000008